(57)【要約】【課題】第一のコネクタと第二のコネクタとを接続する際に、両者が半嵌合状態であることを通知するだけではなく、両者が正確に接続されているか否かを通知する。【解決手段】第二のコネクタ２が第一のコネクタ１に嵌合されていることが嵌合検知部１３により検知されておらず、ピン２１が孔１１に正しく挿入されていることが挿入検知部１４により検知されている場合、警告灯１６を第一の色で点灯させ、両者の嵌合が嵌合検知部１３によって検知されておらず、ピン２１が孔１１に正しく挿入されていることが挿入検知部１４によって検知されずに、凸部１２に所定の値以上の圧力が加わっていることが圧力検知部１５によって検知された場合、警告灯１６を第二の色で点灯させるので、ピン２１が孔１１に正しく挿入されなかったときには圧力が検知されて、両者が正確に接続されていないことを通知することができる。【選択図】図１
2012174619.tif 000002
【特許請求の範囲】
【請求項１】
壁面に設けた第一のコネクタおよび電子機器のコードの先端に設けた第二のコネクタの一方に複数のピンおよびこのピンを囲む凹部を設け、他方にピンを受け入れる孔およびこの孔を形成する凸部を設けた電子機器用コネクタ装置であって、
前記第一のコネクタと前記第二のコネクタとが嵌合されていることを検知する嵌合検知部と、
前記複数のピンが孔に正しく挿入されていることを検知する挿入検知部と、
前記凸部に所定の値以上の圧力が加わっていることを検知する圧力検知部と、
前記孔に前記ピンが正しく挿入されている半嵌合状態であることを示す第一の状態、または、前記孔に前記ピンが正しく挿入されていないことを示す第二の状態で通知を行う通知部と、
前記第一のコネクタと前記第二のコネクタとが嵌合されていることを前記嵌合検知部が検知しておらず、かつ、前記ピンが前記孔に正しく挿入されていることを前記挿入検知部が検知している場合に、前記通知部を第一の状態で動作させ、前記第一のコネクタと前記第二のコネクタとが嵌合されていることを前記嵌合検知部が検知しておらず、前記ピンが前記孔に正しく挿入されていることを前記挿入検知部が検知せずに、前記凸部に所定の値以上の圧力が加わっていることを前記圧力検知部が検知している場合に、前記通知部を第二の状態で動作させて、前記第一のコネクタと前記第二のコネクタとが嵌合されていることを前記嵌合検知部が検知した場合に、前記通知部を動作させない制御部と、
を備えたことを特徴とする電子機器用コネクタ装置。
【発明の詳細な説明】
【技術分野】
【０００１】
本発明は、壁面などに設けた第一のコネクタに対して、電子機器のコードの先端などに設けた第二のコネクタを接続するための電子機器用コネクタ装置に関する。
【背景技術】
【０００２】
従来、ナースコールシステムやインターホンシステムなどでは、病室や居室に設置された子機とナースステーションや管理人室に設置された親機とを有線にて接続していた。そのため、施設の壁面内に通信ケーブルを埋め込み、通信ケーブルの一端に親機を接続し、他端に子機を接続する必要があった。このとき、子機が不要であったり、子機を交換したりする場合には、子機が取り外されるため、通信ケーブルと子機とは、壁面に設けた第一のコネクタと子機のコードの先端に設けた第二のコネクタとにより接続される。このようにすることにより、第一のコネクタと第二のコネクタとの接続を解除して、子機を取り外すことができる。また、ナースコールシステムやインターホンシステムなどに使用される通信ケーブルは、複数の種類の信号をやり取りするため、子機のコードの先端に設けた第二のコネクタには複数本のピンが、壁面に設けた第一のコネクタには複数のピンを受け入れる複数の孔が形成されている。
【０００３】
ところで、親機と子機との間で通信を行うためには、第一のコネクタと第二のコネクタとが正しく接続されていることが必要である。そのため、第一のコネクタと第二のコネクタとが接続される際に、半嵌合状態であるか嵌合状態であるかを双方に設けた検知用端子で検知し、半嵌合状態であるときに警告灯を点灯させる技術が知られている（例えば、特許文献１など）。
【０００４】
しかしながら、第一のコネクタに対して第二のコネクタを異なる角度で挿入してしまうと、第一のコネクタに設けた孔以外の部分が第二のコネクタに設けたピンに接触し、そのまま挿入し続けると、ピンが折れたり曲がったりして破損してしまうという問題があった。ここで、特許文献１に記載の検知用端子が第二のコネクタの挿入角度に依存しない場合であっても、半嵌合状態で警告灯が点灯するだけで、ピンの破損を警告するものではなかった。一方、特許文献１に記載の検知用端子が第二のコネクタの挿入角度に依存する場合には、警告灯が点灯しなかった。
【先行技術文献】
【特許文献】
【０００５】
【特許文献１】特開平９−６３６９８号公報
【発明の概要】
【発明が解決しようとする課題】
【０００６】
本発明は、このような問題を解決するために成されたものであり、壁面に設けた第一のコネクタと電子機器のコードの先端に設けた第二のコネクタとを接続する際に、両者が半嵌合状態であることを通知するだけではなく、両者が正確に接続されているか否かを通知することができるようにすることを目的とする。
【課題を解決するための手段】
【０００７】
上述した課題を解決するために、本発明では、壁面に設けた第一のコネクタおよび電子機器のコードの先端に設けた第二のコネクタの一方に複数のピンおよびこのピンを囲む凹部を設け、他方にピンを受け入れる孔およびこの孔を形成する凸部を設ける。そして、第二のコネクタが第一のコネクタに嵌合されていることが検知されておらず、かつ、ピンが孔に正しく挿入されていることが検知されている場合に、通知部を第一の状態とし、第二のコネクタが第一のコネクタに嵌合されていることが検知されておらず、ピンが孔に正しく挿入されていることが検知されずに、凸部に所定の値以上の圧力が加わっていることが検知された場合に、通知部を第二の状態として、第二のコネクタが第一のコネクタに嵌合されていることが検知された場合に、通知部を動作させないようにしている。
【発明の効果】
【０００８】
上記のように構成した本発明によれば、第一のコネクタと第二のコネクタとが嵌合していない場合に、ピンが孔に正しく挿入されているときには、第一のコネクタと第二のコネクタとが半嵌合状態であることを示す第一の状態で通知部が動作するので、両者が半嵌合状態であり、かつ、両者が正確に接続されていることを通知することができる。一方、第一のコネクタと第二のコネクタとが嵌合していない場合に、ピンが孔に正しく挿入されておらず、孔を形成する凸部に圧力が加わっているときには、ピンの先端が凸部に接触していると判断されて、第一のコネクタと第二のコネクタとが正しく接続されていないことを示す第二の状態で通知部が動作するので、両者が正確に接続されていないことを通知することができる。また、第一のコネクタと第二のコネクタとの嵌合が検知された場合には、通知部が停止するので、両者が嵌合状態であることを通知することができる。
【図面の簡単な説明】
【０００９】
【図１】本実施形態による電子機器用コネクタ装置の構成例を示す図である。
【図２】本実施形態による電子機器用コネクタ装置の接続例を示す図である。
【図３】本実施形態による電子機器用コネクタ装置の動作例を示す図である。
【発明を実施するための形態】
【００１０】
以下、本発明の一実施形態を図面に基づいて説明する。図１は、本実施形態による電子機器用コネクタ装置の構成例を示す図である。同図に示すように、本実施形態による電子機器用コネクタ装置は、第一のコネクタ１、第二のコネクタ２を備えて構成されている。ここで、第一のコネクタ１は、壁面に設置されており、壁面内に埋設されている通信ケーブルと接続されている。また、第二のコネクタ２は、ナースコールシステムやインターホンシステムで使用される子機などの電子機器のコードの先端に取り付けられている。
【００１１】
第一のコネクタ１は、第二のコネクタ２に設けたピン２１を受け入れる孔１１およびこの孔１１を形成する凸部１２を備えている。ここで、孔１１は、凸部１２に複数形成されており、本実施形態では、図１中縦方向に二つの孔１１が並んで形成されている。第二のコネクタ２は、コードにより接続されている電子機器と壁面内の通信ケーブルとを接続するためのピン２１を複数備えている。本実施形態では、図１中縦方向に二つのピン２１が並んで形成されている。また、第二のコネクタ２は、二つのピン２１を取り囲むように凹部２２を形成している。また、第二のコネクタ２を形成する凹部２２は、第一のコネクタ１を形成する凸部１２を包むような形状であり、凹部２２が凸部１２を包み、第一のコネクタ１に設けた二つの孔１１と第二のコネクタ２に設けた二つのピン２１とを正確な位置に対向させた場合には、第一のコネクタ１と第二のコネクタ２とを正確に接続することができる。第一のコネクタ１と第二のコネクタ２とを正確に接続した場合には、第一のコネクタ１に接続されている通信ケーブルと第二のコネクタ２に接続されている電子機器とが電気的に接続される。
【００１２】
１３は嵌合検知部であり、第二のコネクタ２が第一のコネクタ１に完全に嵌合したことを検知するためのものである。ここで、嵌合検知部１３は、例えば押しボタンなどにより構成されており、第二のコネクタ２が第一のコネクタ１に完全に嵌合すると、第二のコネクタ２の凹部２２の先端部分が嵌合検知部１３を押下して、第一のコネクタ１と第二のコネクタ２とが完全に嵌合したことが検知される。
【００１３】
１４は挿入検知部であり、第二のコネクタ２のピン２１が第一のコネクタ１の孔１１に挿入されたことを検知するためのものである。ここで、挿入検知部１４は、例えばピン２１と孔１１との導通を検知することでピン２１が孔１１に挿入されていることを検知している。また、挿入検知部１４は、ピン２１が正しい孔１１に挿入されていることも検知している。すなわち、複数のピン２１がそれぞれ正しい孔１１に挿入されていることを挿入検知部１４が検知している。
【００１４】
１５は圧力検知部であり、第一のコネクタ１の凸部１２に所定の値以上の圧力が加わっていることを検知するためのものである。ここで、所定の値とは、例えば、人や物品が触れただけでかかるような圧力を除外する程度の値である。１６は警告灯（特許請求の範囲の通知部に該当する）であり、第二のコネクタ２のピン２１が第一のコネクタ１の孔１１に正しく挿入されている半嵌合状態であることを示す第一の色（例えば緑など）で点灯する（特許請求の範囲の第一の状態に該当する）とともに、第二のコネクタ２のピン２１が第一のコネクタ１の孔１１に正しく挿入されていないことを示す第二の色（例えば赤など）で点灯する（特許請求の範囲の第二の状態に該当する）。１７は制御部であり、ＣＰＵ（central processing unit）などを備えて構成されており、嵌合検知部１３、挿入検知部１４、圧力検知部１５の各状態に応じて、警告灯の点灯状態を制御する。
【００１５】
図２は、本実施形態による電子機器用コネクタ装置の接続例を示す図であり、図２（ａ）は、第二のコネクタ２のピン２１が第一のコネクタ１の孔１１に正しく挿入されている場合の接続例を示す図である。同図に示すように、第二のコネクタ２のピン２１が第一のコネクタ１の孔１１に正しく挿入されていることが挿入検知部１４によって検知され、第二のコネクタ２が第一のコネクタ１に完全に嵌合したことを嵌合検知部１３によって検知されていない場合には、圧力検知部１５の検知結果に関わらず、制御部１７は、警告灯１６を第一の色で点灯させる。
【００１６】
一方、図２（ｂ）は、第二のコネクタ２のピン２１が第一のコネクタ１の孔１１に正しく挿入されていない場合の接続例を示す図である。同図に示すように、第二のコネクタ２のピン２１が第一のコネクタ１の孔１１に正しく挿入されていることが挿入検知部１４によって検知されず、第二のコネクタ２が第一のコネクタ１に完全に嵌合したことを嵌合検知部１３によって検知されていない場合に、第二のコネクタ２のピン２１によって第一のコネクタ１の凸部１２が押され、所定の値以上の圧力が加わっていることが圧力検知部１５によって検知されているときには、制御部１７は、警告灯１６を第二の色で点灯させる。
【００１７】
図３に示すように、第一のコネクタ１に第二のコネクタ２が接続されていない場合には、嵌合検知部１３、挿入検知部１４、圧力検知部１５の何れも検知しないため、制御部１７は警告灯１６を消灯させる。また、第一のコネクタ１の孔１１に第二のコネクタ２のピン２１が正しく挿入された場合には、嵌合検知部１３および圧力検知部１５は検知せず、挿入検知部１４のみが検知するため、制御部１７は警告灯１６を第一の色（緑）で点灯させる。また、第一のコネクタ１の孔１１に第二のコネクタ２のピン２１が正しく挿入され、何らかの理由で第一のコネクタ１の凸部１２に所定の値以上の圧力が加わった場合には、嵌合検知部１３は検知せず、挿入検知部１４および圧力検知部１５が検知するため、制御部１７は警告灯１６を第一の色（緑）で点灯させる。また、第一のコネクタ１と第二のコネクタ２とが完全に嵌合したことが嵌合検知部１３にて検知された場合には、制御部１７は警告灯１６を消灯させる。
【００１８】
以上詳しく説明したように、本実施形態によれば、壁面に設けた第一のコネクタ１にピン２１を受け入れる孔１１およびこの孔１１を形成する凸部１２を設け、電子機器のコードの先端に設けた第二のコネクタ２に複数のピン２１およびこのピン２１を囲む凹部２２を設ける。そして、第二のコネクタ２が第一のコネクタ１に嵌合されていることが嵌合検知部１３により検知されておらず、かつ、ピン２１が孔１１に正しく挿入されていることが挿入検知部１４により検知されている場合には、制御部１７は警告灯１６を、第二のコネクタ２のピン２１が第一のコネクタ１の孔１１に正しく挿入されている半嵌合状態であることを示す第一の色で点灯させる。一方、第二のコネクタ２が第一のコネクタ１に嵌合されていることが嵌合検知部１３によって検知されておらず、ピン２１が孔１１に正しく挿入されていることが挿入検知部１４によって検知されずに、凸部１２に所定の値以上の圧力が加わっていることが圧力検知部１５によって検知された場合に、制御部１７は警告灯１６を、第二のコネクタ２のピン２１が第一のコネクタ１の孔１１に正しく挿入されていないことを示す第二の色で点灯させる。また、第二のコネクタ２が第一のコネクタ１に嵌合されていることが嵌合検知部１３によって検知された場合に、制御部１７は警告灯１６を消灯するようにしている。
【００１９】
これにより、第一のコネクタ１と第二のコネクタ２とが嵌合していない場合に、ピン２１が孔１１に正しく挿入されているときには、第一のコネクタ１と第二のコネクタ２とが半嵌合状態であることを示す第一の色で警告灯１６が点灯するので、両者が半嵌合状態であり、かつ、両者が正確に接続されていることを通知することができる。一方、第一のコネクタ１と第二のコネクタ２とが嵌合していない場合に、ピン２１が孔１１に正しく挿入されておらず、孔１１を形成する凸部１２に圧力が加わっているときには、ピン２１の先端が凸部１２に接触していると判断されて、第一のコネクタ１と第二のコネクタ２とが正しく接続されていないことを示す第二の色で警告灯１６が点灯するので、両者が正確に接続されていないことを通知することができる。また、第一のコネクタ１と第二のコネクタ２との嵌合が検知された場合には、警告灯１６が消灯するので、両者が嵌合状態であることを通知することができる。
【００２０】
なお、前述した実施形態では、第一のコネクタ１に孔１１および凸部１２を設け、第二のコネクタ２にピン２１および凹部２２を設けるようにしているが、これに限定されない。例えば、第一のコネクタにピンおよび凹部を設け、第二のコネクタに孔および凸部１２を設けるようにしても良い。
【００２１】
また、前述した実施形態では、警告灯１６の点灯および消灯により、第一のコネクタ１と第二のコネクタ２とが半嵌合状態であること、第一のコネクタ１の孔１１に第二のコネクタ１２のピン２１が正しく挿入されていないこと、第一のコネクタ１に第二のコネクタ２が完全に嵌合されたことを通知するようにしているが、これに限定されない。例えば、音声や文字の表示、絵柄の表示により通知するようにしても良い。
【００２２】
また、前述した実施形態では、第一のコネクタ１と第二のコネクタ２とが完全に嵌合した場合には、制御部１７は警告灯１６を消灯するようにしているが、これに限定されない。例えば、第一のコネクタ１と第二のコネクタ２とが完全に嵌合していることが嵌合検知部１３により検知された場合に、制御部１７が警告灯１６を第三の色（例えば、青など）で一定時間だけ点灯させるようにしても良い。
【００２３】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００２４】
１    第一のコネクタ
２    第二のコネクタ
１１    孔
１２    凸部
１３    嵌合検知部
１４    挿入検知部
１５    圧力検知部
１６    警告灯
１７    制御部
２１    ピン
２２    凹部
【図１】
2012174619.tif 000003
【図２】
2012174619.tif 000004
【図３】
2012174619.tif 000005